(57)【要約】【課題】記録メディアに記録されている撮影コマ画像とプリント処理情報との間で生じた不整合を解消して、スムーズな動作を保証する写真プリント注文処理装置を提供する。【解決手段】複数の撮影コマ画像と、当該撮影コマ画像の少なくとも１つに対するプリント処理項目を有するプリント処理情報とを記録した記録メディアからプリント処理情報を入力するプリント処理情報入力部と、入力されたプリント処理情報の内容を読み取り、このプリント処理情報のプリント処理項目に処理対象として記述されている撮影コマ画像が記録メディアから読み出すことができない不整合状態が生じているかどうかを判定するプリント処理情報照合部と、不整合状態と判定されたプリント処理情報を整合状態に修正するプリント処理情報修正部とを備えた写真プリント注文処理装置。【選択図】図１
2009053542.tif 000002
【特許請求の範囲】
【請求項１】
複数の撮影コマ画像と、当該撮影コマ画像の少なくとも１つに対するプリント処理項目を有するプリント処理情報とを記録した記録メディアからプリント処理情報を入力するプリント処理情報入力部と、
入力された前記プリント処理情報の内容を読み取り、このプリント処理情報のプリント処理項目に処理対象として記述されている撮影コマ画像が前記記録メディアから読み出すことができない不整合状態が生じているかどうかを判定するプリント処理情報照合部と、
前記不整合状態と判定されたプリント処理情報を整合状態に修正するプリント処理情報修正部と、
が備えられている写真プリント注文処理装置。
【請求項２】
前記不整合状態を報知する不整合状態報知部が備えられていることを特徴とする請求項１に記載の写真プリント注文処理装置。
【請求項３】
前記不整合状態報知部は、入力された前記撮影コマ画像の一覧表示画面において前記不整合状態を作り出している撮影コマ画像の表示領域に不整合状態を示すマーキングを表示することを特徴とする請求項２に記載の写真プリント注文処理装置。
【請求項４】
前記不整合状態報知部は、前記不整合状態を作り出している撮影コマ画像のファイル名を写真プリント処理情報から読み取り、このファイル名をプリンタによってプリント出力するためのプリントデータを生成することを特徴とする請求項２又は３に記載の写真プリント注文処理装置。
【請求項５】
前記プリント処理情報修正部は、入力したプリント処理情報から前記不整合状態の対象となるプリント処理項目を削除した、修正プリント処理情報を生成することを特徴とする請求項１から４のいずれか一項に記載の写真プリント注文処理装置。
【発明の詳細な説明】
【技術分野】
【０００１】
複数の撮影コマ画像と、当該撮影コマ画像の少なくとも１つに対するプリント処理項目を有するプリント処理情報とを記録した記録メディアからプリント処理情報を入力して、写真プリント出力のための注文処理を実行する写真プリント注文処理装置に関する。
【背景技術】
【０００２】
デジタルカメラでは、作成された撮影コマ画像はフラッシュメモリ製の記録メディア（一般にはメモリカードと呼ばれている）に記録されるが、この記録メディアには撮影コマ画像に加えてそれらの撮影コマ画像に対するプリント処理情報の代表である、いわゆるＤＰＯＦ(Digital Print Order Format)と呼ばれるフォーマットで記述されたＤＰＯＦ情報も記録可能であり、各撮影コマ画像毎にプリント枚数やプリント差し込み文字列（日時やメッセージ）やトリミングデータなどを設定することが可能になっている。
【０００３】
このような撮影コマ画像とプリント処理情報を記録した記録メディアから撮影コマ画像とプリント処理情報を入力して、所望の撮影コマ画像を所望のプリント枚数だけ写真プリントとして出力する写真処理装置も登場しているが、デジタルカメラでは記録した撮影コマ画像をいつの時点でも任意に削除することが可能なため、このデジタルカメラの操作を通じて行われたプリント枚数などのプリント処理情報が必ずしも正確ではないという問題が生じる。
【０００４】
また、写真処理装置においても撮影コマ画像毎にプリント枚数を設定することが可能であるので、プリント処理情報に基づいて設定されていたプリント枚数を写真処理装置のオペレータが誤って書き換えてしまうという問題が生じる。このため、複数の撮影コマ画像とそのプリント処理情報をプリントソースとして入力するプリントソース入力部と、前記撮影コマ画像を表示しながらそのプリント処理情報に対する修正指令を受け付けるプレジャッジ処理部と、前記入力されたプリント処理情報を記憶するプリント情報記憶部と、前記プレジャッジ処理部において前記修正指令を受け付けたかどうかを認識するプリント処理情報修正認識部とを備えた写真プリント注文処理装置が提案されている（例えば、特許文献１参照）。この写真プリント注文処理装置では、プリントソース入力部を通じて入力されたプリント処理情報はプリント処理情報記憶部に記憶されており、かつ、モニタ表示されたプリント処理情報がオペレータの無意識での修正あるいは意志をもっての修正のいずれかにかかわらず、そのような修正指令を受け付けたかどうかをプリント処理情報修正認識部が認識チェックしているので、もしオペレータが無意識で誤ってプリント処理情報を書き換えた場合、プリント処理情報記憶部に記憶されている元のプリント処理情報を利用して回復させることが可能となる。しかしながら、このような写真プリント注文処理装置では、記録メディアに記録されている複数の撮影コマ画像と当該撮影コマ画像の少なくとも１つに対するプリント処理項目を有するプリント処理情報に関し、プリント処理項目に記述されている内容に矛盾がないことが前提とされているので、プリント処理項目に処理対象として記述されている撮影コマ画像が削除されていたりして、この記録メディアからから読み出すことができないような事態が生じると、エラー発生ということで、写真プリント注文処理動作がストップして、オペレータがマニュアルでプリント処理情報を訂正する必要がある。このプリント処理情報の訂正には専門知識が必要であり、非常に手間のかかる問題となっている。
【０００５】
【特許文献１】特開２００６−２１５０９０号公報（段落番号００２８−００３３、図５）
【発明の開示】
【発明が解決しようとする課題】
【０００６】
上記実状に鑑み、本発明の課題は、複数の撮影コマ画像と、当該撮影コマ画像の少なくとも１つに対するプリント処理項目を有するプリント処理情報とを記録した記録メディアからプリント処理情報を入力して、写真プリント出力のための注文処理を実行する際に、記録されている撮影コマ画像とプリント処理情報との間で不整合が生じても、簡単に解消して、スムーズな動作を保証する写真プリント注文処理装置を提供することである。
【課題を解決するための手段】
【０００７】
上記課題を解決するため、本発明による写真プリント注文処理装置では、複数の撮影コマ画像と、当該撮影コマ画像の少なくとも１つに対するプリント処理項目を有するプリント処理情報とを記録した記録メディアからプリント処理情報を入力するプリント処理情報入力部と、入力された前記プリント処理情報の内容を読み取り、このプリント処理情報のプリント処理項目に処理対象として記述されている撮影コマ画像が前記記録メディアから読み出すことができない不整合状態が生じているかどうかを判定するプリント処理情報照合部と、前記不整合状態と判定されたプリント処理情報を整合状態に修正するプリント処理情報修正部とが備えられている。
【０００８】
この構成によれば、記録メディアから入力されたプリント処理情報のプリント処理項目のうちで、処理対象として記述されている撮影コマ画像が記録メディアから削除されていたりして、この記録メディアから読み出すことができないような不整合状態が生じているかどうかをチェックして、もし不整合状態が生じていればプリント処理情報を整合状態に修正することで、写真プリント注文処理動作が中断することを回避する。
【０００９】
入力したプリント処理情報に不整合状態が生じていても、本発明による写真プリント注文処理装置では、写真プリント注文処理動作が中断することなく、続行することができるが、この写真プリント注文処理装置を操作している顧客又はオペレータに対しては、不整合状態の発生を知らせ、注意を促せた方がよい。このため、本発明による好適な実施形態では、前記不整合状態を報知する不整合状態報知部が備えられる。この不整合状態報知部の具体的な態様に関しては、特に好ましいものとして次の２態様が提案される。
その１つは、入力された前記撮影コマ画像の一覧表示画面において前記不整合状態を作り出している撮影コマ画像の表示領域に不整合状態を示すマーキングを表示することである。一般に、前記特許文献１などの技術による写真プリント注文処理においては、サムネイル画像化された撮影コマ画像の一覧表示画面が表示され、その一覧表示された各撮影コマ画像に対してプリント枚数を入力する方法が採用されており、その際、プリント処理情報が割り当てられている撮影コマ画像にはそのプリント処理情報に基づくプリント枚数も表示されるが、プリント枚数が割り当てられている撮影コマ画像が記録メディアから読み出せない場合には、その撮影コマ画像に代えて不整合状態を示すマーキングを表示するのである。これにより、不整合状態が発生していることを顧客やオペレータは容易に把握することができる。
【００１０】
他の１つは、前記不整合状態を作り出している撮影コマ画像のファイル名を写真プリント処理情報から読み取り、このファイル名をプリンタによってプリント出力するためのプリントデータを生成することである。つまり、不整合状態が発生すると、その不整合状態の対象となっている撮影コマ画像のファイル名を写真プリント処理情報から読み取り、記録メディアから読み出せないために写真プリント出力の処理対象外となる撮影コマ画像のファイル名として、例えば写真プリント受付証などとともにプリント出力して、顧客に渡すことにより、後からのトラブルを防ぐことができる。
【００１１】
不整合状態と判定されたプリント処理情報を整合状態に修正するプリント処理情報修正部の好適な具体構成の１つは、入力したプリント処理情報から前記不整合状態の対象となるプリント処理項目を削除した、修正プリント処理情報を生成することである。これにより、プリント処理項目に処理対象として記述されている撮影コマ画像が削除されていたりして、この記録メディアからから読み出すことができないような不整合事態が生じても、入力した写真プリント処理情報から問題のあるプリント処理項目だけを削除した修正プリント処理情報を、後続の処理に転送することで、写真プリント注文処理動作が中断することもなく、最終的に、修正プリント処理情報に基づいた写真プリントが出力される。
【発明を実施するための最良の形態】
【００１２】
本発明による写真プリント注文処理装置の具体的な構成を説明する前に、その写真プリント注文処理の基本原理を、図１の模式図を用いて説明する。
デジタルカメラによる撮影により取得された撮影コマ画像は、フラッシュメモリなどの不揮発性メモリで構成される記録メディアに記録されるが、その際、ディレクトリと呼ばれる所定の階層位置に、ファイル名（例えば、「001.jpg」）をもつ画像ファイルとして記録されている。さらに、そのデジタルカメラにインストールされている専用のプログラムを用いることで、各撮影コマ画像に対して、プリント枚数やメッセージ（日付など写真プリントに表示するテキストデータ）を割り当てることができる。このようなプリント処理に関する情報の代表的なものが、ＤＰＯＦ（Digital Print Order Format）と呼ばれるプリント処理情報であるので、以下プリント処理情報をＤＰＯＦ情報と読み替えてもよい。従って、以後の説明におけるプリント処理情報の具体的な内容は、ＤＰＯＦに準拠している。
【００１３】
図２に、ＤＰＯＦ情報の内容例が示されている。ＤＰＯＦ情報には、ヘッダー情報の下に、「JOB」という項目によって区分けされるプリント処理項目が、プリント対象となる撮影コマ画像毎に列挙されている。各プリント処理項目には、画像の通し番号、画像のタイプ、プリント枚数、画像ファイルのフォーマット、画像ファイルの相対パス（記録メディアに記録されている階層位置を示すものでその最後の部分がファイル名となる）、写真プリント時に文字印刷される内容を示すメッセージが含まれる。なお、図１のプリント処理項目は簡単化されており、プリント枚数とファイル名だけが示されている。
【００１４】
写真プリント注文処理装置に記録メディアが投入されると、プリント処理情報であるＤＰＯＦファイルと、撮影コマ画像のサムネイル画像（低解像度データ）がメモリに送り込まれる（＃０１）。メモリに送り込まれたＤＰＯＦファイルは、各プリント処理項目毎に展開される（＃０２）。展開されたプリント処理項目から、プリント対象となっている撮影コマ画像のファイル名を読み出し、そのファイル名を有する撮影コマ画像の本画像（高解像度データ）が存在しているかどうかを確かめるため、このファイル名で対象となる撮影コマ画像の本画像の検索を要求する（＃０３）。検索結果を受け取ると（＃０４）、プリント処理項目に処理対象として記述されている撮影コマ画像が記録メディアから読み出すことができるかできないかを示すために、この検索結果を、ワーキングメモリに作成されている、プリント処理情報照合リストに書き込んでいく（＃０５）。このステップ＃０３から＃０５をメモリに展開されている全てのプリント処理項目にわたって行う。最終的に作成されたプリント処理情報照合リストの中で、プリント処理項目に処理対象として記述されている撮影コマ画像が前記記録メディアから読み出すことができない不整合状態が示されていると（図１では「ERROR」と示されている）、その旨を報知する報知処理要求を生成する（＃０６）。さらに、不整合状態を示すプリント処理項目があれば、そのプリント処理項目を削除した修正プリント処理情報（ＤＰＯＦファイル）を作成し（＃０７）、この修正プリント処理情報に基づいて、記録メディアから撮影コマ画像の本画像が読み込まれる（＃０８）。読み込まれた撮影コマ画像は修正プリント処理情報とともに写真プリント装置に転送され（＃０９）、それ自体は公知な画像処理やプリント処理を経て、写真プリントとして出力される。
【００１５】
上述した写真プリント注文処理の基本原理に基づいて動作する写真プリント注文処理装置の一例を組み込んだ写真プリントシステムの外観図が図３に示されている。この写真プリントシステムは、いわゆるデジタルミニラボと呼ばれる写真プリント装置１００とこの写真プリント装置１００とデータ伝送ラインで接続された写真プリント注文処理装置２０とから構成されている。この写真プリント注文処理装置２０は、デジタルカメラやカメラ付き携帯電話などのデジタル撮影機器で使用されたメモリカード等の記録メディアＭに格納された撮影コマ画像（正確には撮影コマ画像の画像データと呼ぶべきであるが撮影コマ画像と略称している）と前述したプリント記録情報を読み込み、必要に応じて撮影コマ画像のサムネイル画像を一覧表示しながらユーザによるプリント枚数などの写真プリント出力サービスの注文の確認や新規入力を可能にするものである。この実施形態では、写真プリント注文処理装置２０において作成された写真プリント出力要求情報（プリント処理情報及びこのプリント処理情報を構成するプリント処理項目で指定された撮影コマ画像群からなる）は、写真プリント装置１００に送られ、そこで注文通りの写真プリントＰやインデックスプリントＩＰが出力される。なお、写真プリント注文処理装置から写真プリント装置１００に送られるプリント処理情報には、プリントサイズ、プリント枚数、インデックスプリントの有無だけではなく、オプションとして色補正指示パラメータなども含まれる場合がある。
【００１６】
写真プリント装置１００は、印画紙Ｐに対して露光処理と現像処理とを行うプリントステーション１００Ｂと、写真プリント注文処理装置２０から受け取った写真プリント出力要求情報に含まれている撮影コマ画像に対して必要な画像処理を施し、要求された枚数分の写真プリントＰを出力するようにプリントデータをプリントステーション１００Ｂに転送する操作ステーション１００Ａとから構成されている。操作ステーション１００Ａのデスク状コンソールには、写真プリント装置１００のコントローラとして機能を果たす汎用パソコン５０が中核部材として備えられている。
【００１７】
図４からよく理解できるように、写真プリント装置１００のプリントステーション１００Ｂは、２つの印画紙マガジン９１に納めたロール状の印画紙Ｐを搬送してプリントサイズに切断すると共に、この切断された印画紙Ｐに対しプリントエンジンとしての露光エンジン９２で撮影コマ画像の露光を行い、この露光後の印画紙Ｐを複数の現像処理槽を有した現像処理部９３に送って現像する。乾燥の後に装置上部の横送りコンベア９４からソータに送られた印画紙Ｐは、写真プリントＰ又はインデックスプリントＩＰとして、このソータの複数のトレイにオーダ単位で仕分けられた状態で集積される。所定の搬送速度で印画紙Ｐを搬送するために複数のチャッカー搬送ユニット９５ａを含む印画紙搬送機構９５が設けられている。露光エンジン９２は、操作ステーション１００Ａから送られてくるプリントデータに基づいて印画紙Ｐを送りながらＲ（赤）、Ｇ（緑）、Ｂ（青）の３原色の光線の照射を印画紙Ｐに対して行うものであり、露光時には印画紙Ｐを副走査方向に搬送しながら、この搬送速度と同期して主走査方向に沿ったライン状に露光を行うよう構成されている。尚、プリントエンジンとしては、露光仕様に応じて、レーザビーム方式、蛍光ビーム方式、液晶シャッター方式、などの採用が可能であるが、ここではレーザビーム方式が採用されている。さらには、感光型のプリントエンジンに代えてインクジェット方式など他のプリントエンジンを採用してもよい。
【００１８】
写真プリント注文処理装置２０は、図３に示されているように、その正面パネルに、デジタルカメラで使用されている各種記録メディアＭから撮影コマ画像やプリント処理情報を読み取るメディアドライブユニット２１と、カメラ付き携帯電話に内蔵されているメモリから撮影コマ画像を受け取るためのＵＳＢケーブル（又は無線ＵＳＢアンテナ）２２と、ユーザ操作入力部の１つとして機能するキーボード２３と、入力した撮影コマ画像の一覧を含む各種情報を表示するモニタ画面を正面に向けた液晶カラーモニタ２４とこのモニタ２４に装着されたタッチパネル２５と、写真プリント受付証などの情報シートを出力するプリンタ２６を備えている。これらの各種機器の制御や各種データの処理はこの写真プリント注文処理装置２０に内蔵されているコンピュータシステムとして機能するコントローラ４０によって行われる。
【００１９】
図５と図６に示された機能ブロック図から理解できるように、写真プリント注文処理装置２０のコントローラ４０においてハードウエアやソフトウエアによって構築される各機能としては、接続された記録メディアから取り込まれたプリント処理情報や撮影コマ画像をメモリ４１に展開するデータ入力部４２と、プリント注文などの操作画面などを含むグラフィック化された操作画面の作成やそのようなグラフィック操作画面を通じてのユーザ操作入力から制御コマンドや管理データを生成するグラフィックユーザインターフェース（以下ＧＵＩと略称する）を構築するＧＵＩ部４３と、入力された撮影コマ画像を管理するコマ画像管理部４４と、メモリ４１に展開されている撮影コマ画像とこの撮影コマ画像に対して与えられるプリント処理に関するデータとの関係を管理するコマ画像管理部４４と、メモリ４１に展開されている撮影コマ画像に対して必要となる画像処理を前記コマ画像管理部４４の管理の下で行う画像処理部４５と、入力されたプリント処理情報を読み取ってこのプリント処理情報のプリント処理項目に処理対象として記述されている撮影コマ画像が前記記録メディアから読み出すことができない不整合状態が生じているかどうかを判定するプリント処理情報照合部４６と、前記不整合状態と判定されたプリント処理情報を整合状態に修正するために前記不整合状態が存在すると判定されたプリント処理情報から前記不整合状態の対象となるプリント処理項目を削除することで修正プリント処理情報を生成するプリント処理情報修正部４７と、この写真プリント注文処理装置２０における写真プリント注文処理過程においてユーザによって最終的に確認された内容に基づく写真プリント出力要求情報を写真プリント装置１００に対する注文情報として作成して通信ポートを介して写真プリント装置１００に転送するとともにその注文内容とプリント料金を印字した写真プリント受付証などをプリンタ２６を通じて発行する注文情報作成部４８が挙げられる。
【００２０】
プリント処理情報照合部４６は、本発明における重要な機能を実行するものであり、図１におけるステップ＃０３から＃０５の処理を行い、ワーキングメモリにプリント処理情報照合リストを作成する。このプリント処理情報照合リストを通じて、読み込まれたプリント処理情報に不整合状態が生じていないかどうか、生じている場合には、不整合状態を引き起こした撮影コマ画像のファイル名が把握できるようになっている。
【００２１】
データ入力部４２は、記録メディアＭから撮影コマ画像を取り込む画像入力部４２ａと、記録メディアＭからプリント処理情報を取り込むプリント処理情報入力部４２ｂの２つの機能を備えている。画像入力部４２ａは、記録メディアＭから撮影コマ画像のサムネイル画像と本画像とを取り込むが、もし記録メディアＭにサムネイル画像が含まれていない場合は本画像から縮小画像を画像処理部４５の機能を通じて作り出してサムネイル画像としてメモリ４１に展開する。いずれにせよ、メモリ４１における撮影コマ画像の本画像やサムネイル画像はコマ画像管理部４４によってプリント記録情報の各プリント処理項目と対応付けて管理される。
【００２２】
ＧＵＩ部４３は、図７に例示する撮影コマ画像選択画面７０などの操作画面を生成する操作画面生成部４３ａ、種々の操作画面を通じて取得した操作コマンドを管理する操作コマンド管理部４３ｂ、プリント処理情報照合部４６で不整合状態が判定された際には撮影コマ画像を一覧表示している撮影コマ画像選択画面７０などの一覧表示操作画面において前記不整合状態を作り出している撮影コマ画像の表示領域に不整合状態を示すマーキングを表示する不整合状態報知画面生成部４３ｃを備えている。不整合状態報知画面生成部４３ｃは、プリント処理情報照合部４６で判定された不整合状態を報知する不整合状態報知部の１つの態様であり、プリント処理項目においてプリント出力の対象となっている撮影コマ画像が記録メディアＭに存在していない場合、一覧表示操作画面においてその撮影コマ画像に代えてマーキング、図７では「不整合」というマーキングをそのファイル名とともに表示する。
【００２３】
撮影コマ画像選択画面７０では、メモリカード１枚分の撮影コマ画像がその画像チェックのために撮影画像表示枠７１に順次表示される。この撮影画像表示枠７１は、図示されていない表示コマ設定欄で選択された表示コマ数だけ配置されるが、図７では、６コマ表示となっている。各撮影画像表示枠７１の上側にはこの撮影画像表示枠７１に表示されている撮影コマ画像のファイル名を表示するコマ識別コード表示欄７２が配置されている。さらに、各撮影画像表示枠７１の下側には色濃度補正設定エリア７４とプリント枚数設定エリア７５が配置されている。色濃度補正設定エリア７４には「イエロー」、「マゼンタ」、「シアン」、「濃度」の設定枠が設けられており、補正量の「Ｎ」はニュートラルを表し補正なしを意味している。プリント枚数設定エリア７５にはプリント枚数を入力する入力枠が設けられており、プリント処理情報が入力されている場合には、最初は、プリント処理情報に基づいたプリント枚数がこの入力枠に表示されるが、あとから修正、追加することができる。なお、プリント枚数が「０」の場合、他の数字と明確に区別するため、ここでは「パス」という文字が入力枠に表示され、その撮影画像はプリント対象外となっていることを明確にしている。
【００２４】
撮影コマ画像選択画面７０において表示されている撮影コマ画像のチェックが終わると、矢印ボタンを押すことにより次の撮影コマ画像のチェックが可能となり、ＯＫボタンを押すことにより、最終の注文状態を示すプリント処理情報及びこのプリント処理情報を構成するプリント処理項目で指定された撮影コマ画像群からなる写真プリント出力要求情報が注文情報として注文情報作成部４８で作成され、写真プリント装置１００に送られる。
【００２５】
注文情報作成部４８には、プリント処理情報照合部４６で不整合状態が判定された際にはこの不整合状態を作り出している撮影コマ画像のファイル名を写真プリント受付証などとともに記述した情報シートとしてプリンタ２６から出力することにより、ユーザに不整合状態の発生を報知する不整合状態報知プリントデータ生成部４８ａが備えられている。この不整合状態報知プリントデータ生成部４８ａもプリント処理情報照合部４６で判定された不整合状態を報知する不整合状態報知部の１つの態様である。
【００２６】
ところで、図１に示された写真処理システムを構成する写真プリント装置１００の操作ステーション１００Ａの操作は顧客ではなくてＤＰ店のオペレータが行うことになるが、写真プリント注文処理装置２０と同等の機能を備えている。このため、写真プリント装置１００のみで構成される写真処理システムの形態においても本発明を適用することが可能である。つまり、この操作ステーション１００Ａのデスク状コンソールには記録メディアＭなどから撮影コマ画像やプリント処理情報を取得するメディアドライブユニット１２１は、この写真プリント装置１００のコントローラ４として機能する汎用パソコンに組み込まれている。この汎用パソコン４には、さらに各種情報を表示するモニタ１２４、各種設定や調整を行う際に用いる操作入力部として利用される操作入力デバイスとしてのキーボード１２３やマウス１２５も接続されている。
【００２７】
この写真プリント装置のコントローラ４は、ＣＰＵを中核部材として、写真プリント装置１００の種々の動作を行うための機能部をハードウエア又はソフトウエアあるいはその両方で構築しているが、本発明に特に関係する機能を示す機能ブロック図が図８に示されている。この機能ブロック図では、写真プリント注文処理装置２０のコントローラ４０で構築されている機能部と実質的に同一でその詳しい説明は流用することができる機能部に関しては同一の図番を付与している。つまり、コントローラ４に構築されている主な機能部は、メディアドライブユニット１２１によって取り込まれたプリント処理情報や撮影コマ画像をメモリ４１に展開するとともに写真プリント注文処理装置２０が接続された場合には写真プリント出力要求情報から取り出された撮影コマ画像をメモリ４１に展開するデータ入力部１４２と、コマ画像管理部４４と、操作画面生成部４３ａや操作コマンド管理部４３ｂや不整合状態報知画面生成部４３ｃを備えたＧＵＩ部４３と、このＧＵＩ部４３から送られてきた内部処理コマンドなどに基づいて撮影コマ画像に対して必要な色補正や各種フィルタ処理などの画像処理を施すとともにインデックスプリント用画像データとしてのインデックス画像を生成するインデックス画像処理機能を備えた画像処理部１４５と、プリント処理情報照合部４６と、プリント処理情報修正部４７と、最終的に確認された内容に基づく画像処理済みの撮影コマ画像からプリントステーション１００Ｂに装備されている露光エンジン９２に適したプリントデータを生成するプリントデータ生成部１４８である。
【００２８】
コントローラ４に上記のような機能を備えさせることにより、この写真プリント装置１００単体で使用しても、記録メディアから取り込まれたプリント処理情報の内容を読み取り、このプリント処理情報のプリント処理項目に処理対象として記述されている撮影コマ画像が記録メディアＭから読み出すことができない不整合状態であるかどうかをプリント処理情報照合部４６が判定し、不整合状態と判定されたプリント処理情報はプリント処理情報修正部４７によって整合状態に修正される。また、プリント処理項目においてプリント出力の対象となっている撮影コマ画像が記録メディアＭに存在していない場合、図７に例示されるような一覧表示操作画面においてその撮影コマ画像に代えて「不整合」を表現するマーキングをそのファイル名とともに表示させる。
【図面の簡単な説明】
【００２９】
【図１】本発明による写真プリント注文処理の基本原理を説明する模式図
【図２】プリント記録情報を説明する説明図
【図３】本発明による写真プリント注文処理装置を組み込んだ写真処理システムを示す外観図
【図４】プリントステーションの構成を模式的に示す断面説明図
【図５】写真プリント注文処理装置のコントローラの構成を示す模式図
【図６】写真プリント注文処理装置のコントローラに構築された本発明に関する機能を説明する機能ブロック図
【図７】撮影コマ画像選択画面の一例を示すモニタ画面図
【図８】操作ステーションのコントローラに構築された本発明による写真プリント注文処理装置に関する機能を説明する機能ブロック図
【符号の説明】
【００３０】
４２ａ：画像入力部
４２ｂ：プリント処理情報入力部
４３：ＧＵＩ部
４４：コマ画像管理部
４５：画像処理部
４６：データ量算出部
４７：記録メディア必要枚数決定部
４３ｃ：不整合状態報知画面生成部（不整合状態報知部）
４６：プリント処理情報照合部
４７：プリント処理情報修正部
４８ａ 不整合状態報知プリントデータ生成部（不整合状態報知部）
Ｍ：記録メディア
【図１】
2009053542.tif 000003
【図２】
2009053542.tif 000004
【図３】
2009053542.tif 000005
【図４】
2009053542.tif 000006
【図５】
2009053542.tif 000007
【図６】
2009053542.tif 000008
【図７】
2009053542.tif 000009
【図８】
2009053542.tif 000010